(57)【要約】【課題】浴槽側壁に配設された配管接続部に対してメンテナンス等を行うために要するスペースを縮小させると共に、配管接続部のメンテナンス性や施工性を向上させることができ、且つ、メンテナンス時に水受部材から建築躯体へ落水することを防止できる浴槽側壁用の水受構造を提供する。【解決手段】浴槽１２の側壁１６の追い炊き用アダプタ１８の下方に、水受パン３４の側壁３４Ａを固定する。また、水受パン３４の側壁３４Ａの対辺である側壁３４Ｄ上に、水飛散防止カバー３８を立設し、水飛散防止カバー３８の上部が、平面視にて追い炊き用アダプタ１８と重合するように構成する。水飛散防止カバー３８の下部を、水受パン３４に回動可能に連結し、水飛散防止カバー３８を側壁１６の反対側へ可倒とする。【選択図】図２
2009028078.tif 000002
【特許請求の範囲】
【請求項１】
配管接続部が配設された浴槽側壁に前記配管接続部の下方において固設された水受パンと、
前記水受パンに立設されて前記配管接続部の上方へ延出し、全体又は上側の一部が前記浴槽側壁から離れる側へ可倒である水受カバーと、
を有することを特徴とする浴槽側壁用の水受構造。
【請求項２】
前記配管を伝う水を止めて前記水受パンへ落下させる水止め部材を有することを特徴とする請求項１に記載の浴槽側壁用の水受構造。
【請求項３】
前記水受カバーは、前記水受パンに回動可能に支持されていることを特徴とする請求項１又は請求項２に記載の浴槽側壁用の水受構造。
【請求項４】
前記水受カバーは、折り畳み可能に構成されていることを特徴とする請求項１〜請求項３の何れか１項に記載の浴槽側壁用の水受構造。
【請求項５】
前記水受カバーは、透明材料又は半透明材料で構成されていることを特徴とする請求項１〜請求項４の何れか１項に記載の浴槽側壁用の水受構造。
【発明の詳細な説明】
【技術分野】
【０００１】
本発明は、配管接続部により配管が接続される浴槽側壁用の水受構造に関する。
【背景技術】
【０００２】
浴槽と建築躯体との間に防水パンを備えない所謂洗い場一体型浴槽のユニットバスにおいて、追い炊き用の配管を浴槽側壁に空けられた孔に通して浴槽側壁に接続する場合、配管接続部からの漏水が発生してしまうと、漏れた水が建築躯体へ流れ落ち、建築躯体がダメージを受ける。このため、配管接続部からの漏水を受ける水受パンや水受ボックスを浴槽側壁に設置することが行われている（例えば、特許文献１〜４参照）。水受ボックスによれば、配管接続部全体を覆うことができるため、配管接続部から建築躯体への水の飛散を防止できる。
【０００３】
しかしながら、配管接続部における漏水を目視するために、箱体である水受ボックスを浴槽側壁から取り外し、再装着するための作業スペースを確保することが、浴槽側壁と建築躯体との間のスペース制約上、困難な場合がある。また、上記作業スペースを確保できたとしても、浴槽側壁と建築躯体との間の狭いスペースでの水受ボックスの着脱作業は、容易な作業ではない。さらに、漏水発生後の水受ボックスの取り外し作業の際に、水受ボックス（水受部材）に溜まった水を建築躯体に落下させてしまう危険性がある。
【特許文献１】実開昭６１−１０６５７１号公報
【特許文献２】特開平１０−１４８４０３号公報
【特許文献３】特開平１−７５８５３号公報
【特許文献４】特開２００７−３５１号公報
【発明の開示】
【発明が解決しようとする課題】
【０００４】
本発明は、上記事実を考慮し、浴槽側壁に配設された配管接続部のメンテナンスや施工に要するスペースを縮小させると共に、配管接続部のメンテナンス性や施工性を向上させることができ、且つ、メンテナンス時に水受部材から建築躯体へ落水することを防止できる浴槽側壁用の水受構造を提供することを目的とする。
【課題を解決するための手段】
【０００５】
請求項１に記載の浴槽側壁用の水受構造は、配管接続部が配設された浴槽側壁に前記配管接続部の下方において固設された水受パンと、前記水受パンに立設されて前記配管接続部の上方へ延出し、全体又は上側の一部が前記浴槽側壁から離れる側へ可倒である水受カバーと、を有することを特徴とする。
【０００６】
請求項１に記載の浴槽側壁用の水受構造では、水受パンが、配管接続部の下方において浴槽側壁に固設されており、配管接続部から漏れ出し浴槽側壁を伝って流れ落ちる水を受け止める。また、水受カバーが、配管接続部に立設されて配管接続部の上方へ延出しており、配管接続部から漏れ出し飛散する水を受け止める。
【０００７】
ここで、水受カバーの全体又は上側の一部が、浴槽側壁から離れる側へ倒すことで、水受カバー及び水受パンを浴槽側壁から取り外すことなく、配管接続部を目視し、また、配管接続部のメンテナンス作業を行うことが可能となる。
【０００８】
よって、従来用いられていた水受ボックスを着脱するような大きな作業スペースが不要となるため、配管接続部のメンテナンスや施工に要するスペースを縮小でき、また、配管接続部のメンテナンス性や施工性を向上させることができ、且つ、メンテナンス時に水受パンや水受カバーから建築躯体へ落水することを防止できる。
【０００９】
請求項２に記載の浴槽側壁用の水受構造は、請求項１に記載の浴槽側壁用の水受構造であって、前記配管を伝う水を止めて前記水受パンへ落下させる水止め部材を有することを特徴とする。
【００１０】
請求項２に記載の浴槽側壁用の水受構造では、配管を伝う水が、水受部材によって止められて水受パンへ落下される。よって、配管接続部から漏れ出し、配管を伝う水の建築躯体への落下を防止できる。
【００１１】
請求項３に記載の浴槽側壁用の水受構造は、請求項１又は請求項２に記載の浴槽側壁用の水受構造であって、前記水受カバーは、前記水受パンに回動可能に支持されていることを特徴とする。
【００１２】
請求項３に記載の浴槽側壁用の水受構造では、水受カバーが、水受パンに回動可能に支持されており、水受カバーを浴槽側壁から離れる側へ容易に倒すことができ、また、浴槽側壁側へ容易に起こすことができる。よって、配管接続部のメンテナンスを容易化できる。
【００１３】
請求項４に記載の浴槽側壁用の水受構造は、請求項１〜請求項３の何れか１項に記載の浴槽側壁用の水受構造であって、前記水受カバーは、折り畳み可能に構成されていることを特徴とする。
【００１４】
請求項４に記載の浴槽側壁用の水受構造では、水受カバーを折り畳み可能に構成することにより、水受カバーを浴槽側壁から離れる側へ倒す際に、水受カバーをコンパクト化でき、以って、配管接続部に対するメンテナンスのためのスペースを縮小できる。
【００１５】
請求項５に記載の浴槽側壁用の水受構造は、請求項１〜請求項４の何れか１項に記載の浴槽側壁用の水受構造であって、前記水受カバーは、透明材料又は半透明材料で構成されていることを特徴とする。
【００１６】
請求項５に記載の浴槽側壁用の水受構造では、水受カバーを透明材料又は半透明材料で構成することにより、水受カバーを起こした状態でも、配管接続部を目視できるため、配管接続部のメンテナンス性をより一層向上できる。
【発明の効果】
【００１７】
以上説明したように、本発明によれば、浴槽側壁に配設された配管接続部のメンテナンスや施工に要するスペースを縮小させると共に、配管接続部のメンテナンス性や施工性を向上させることができ、且つ、メンテナンス時に水受部材から建築躯体へ落水することを防止できる浴槽側壁用の水受構造を提供することが可能である。
【発明を実施するための最良の形態】
【００１８】
次に、本発明の浴槽側壁用の水受構造の一実施形態を図１乃至図８に従って説明する。
図１に示すように、本発明の第１実施形態に係るユニットバス１０は、浴槽１２及び洗い場１４と建築躯体１との間に防水パンを備えない所謂洗い場一体型浴槽とされており、浴槽１２の洗い場１４側から見て右側の側壁１６には、追い炊き用アダプタ（配管接続部）１８が配設されている。追い炊き用アダプタ１８は、吸い込み用の配管２０と吐き出し用の配管２２とを介して、浴室外部に設置された追い炊き釜（図示省略）に接続されている。
【００１９】
また、浴槽１２の洗い場１４側の側壁２６を覆うエプロン２８には、追い炊き用アダプタ１８を点検するための点検口３０が設けられている。この点検口３０は、通常時にはカバー（図示省略）で覆われ、追い炊き用アダプタ１８の点検時に開放される。
【００２０】
図２及び図３に示すように、追い炊き用アダプタ１８は、配管２０、２２が接続される基部１８Ａを浴槽１２の側壁１６の外側に備え、本体部（図示省略）を側壁１６の内側に備えている。基部１８Ａ及び本体部は、側壁１６に形成された貫通孔（図示）に挿通されており、該貫通孔と基部１８Ａ及び本体部との間には、シール材３２が介装されている。
【００２１】
基部１８Ａに設けられ配管２０、２２が結合される配管結合部１８Ｂ、１８Ｃは、上下に並んで洗い場１４の反対側へ略水平に延出しており、これにより、配管２０、２２の上流端側は、上下に並んで洗い場１４の反対側へ略水平に延出している。
【００２２】
また、側壁１６の追い炊き用アダプタ１８の下方には、上面を開口した矩形箱状の水受パン３４が固設されている。この水受パン３４は、配管２０、２２に沿って略水平に延在する細長のトレイとされており、一の長辺である側壁３４Ａが、側壁１６に沿って湾曲し、側壁１６に密接した状態で固定されている。また、水受パン３４の一の短辺である側壁３４Ｂには、貫通孔３４Ｃが空けられており、この貫通孔３４Ｃには、排水管３６が接続されている。
なお、追い炊き用アダプタ１８の全体、及び配管２０、２２の追い炊き用アダプタ１８側の一部は、平面視にて水受パン３４と重合している。
【００２３】
また、矩形板状の水飛散防止カバー（水受カバー）３８が、水受パン３４の側壁３４Ａの対辺である側壁３４Ｄ上に立設されている。水飛散防止カバー３８は、側壁３４Ｄの長手方向一端部から他端部まで延在しており、水飛散防止カバー３８の横方向（高さ方向と直交する方向）の両端部には、略直角に側壁１６側へ屈曲した一対の壁部３８Ａが設けられている。
【００２４】
図４に示すように、一対の壁部３８Ａの下端部（水受パン３４側の端部）には、円柱状のボス４０が、水飛散防止カバー３８の横方向内側へ突設されている。一方、上記側壁３４Ｂ及び側壁３４Ｂの対辺である側壁３４Ｅの側壁１６の反対側の端部には、ボス４０が回転自在に嵌合する円孔４２が形成されている。即ち、図２及び図３に示すように、水飛散防止カバー３８は、水受パン３４における側壁１６の反対側の端部に、側壁１６に沿って略水平に延在する軸回りに回動可能に支持されており、該軸を支点として側壁１６から離れる側へ可倒とされている。
【００２５】
また、図４に示すように、一対の壁部３８Ａの下端部でありボス４０の近傍（例えば、斜め下方）には、ボス４０よりも小サイズの円柱状のボス４４が、水飛散防止カバー３８の横方向内側へ突設されている。一方、側壁３４Ｂ及び側壁３４Ｅの円孔４２の近傍（例えば、斜め下方）には、ボス４４が嵌合可能な円孔４６が形成されている。なお、壁部３８Ａは、可撓性を有しており、壁部３８Ａを撓ませることにより、ボス４４が円孔４６から離脱可能となる。
【００２６】
ここで、ボス４４を円孔４６に嵌合させた状態で、水飛散防止カバー３８が、直立状態又は側壁１６側へ若干傾斜して起立した状態となるように、ボス４４及び円孔４６の位置が設定されている。
【００２７】
また、水飛散防止カバー３８の高さ方向中間部には、略水平方向に沿って延在する可撓性のヒンジ部４７が設けられており、これにより、水飛散防止カバー３８が、上カバー部３８Ｂと下カバー部３８Ｃとに上下２分割され、高さ方向中間部を境に折り畳み（２つ折）可能とされている。
【００２８】
ここで、一対の壁部３８Ａは、ヒンジ部４７の位置に形成されたＶ字状の切欠きにより上側壁部３８Ｄと下側壁部３８Ｅとに上下２分割されており、これにより、上カバー部３８Ｂが、下カバー部３８Ｃに対して相対的に側壁１６側へ傾倒可能となっている。
【００２９】
また、上側壁部３８Ｄの下側壁部３８Ｅ側の端部には、位置決め用突部３８Ｆが、下側壁部３８Ｅ側へ突設されており、この位置決め用突部３８Ｆが下側壁部３８Ｅの上側壁部３８Ｆ側の端部に当接することにより、上カバー部３８Ｂの下カバー部３８Ｃに対する相対角度が決定される。
【００３０】
なお、上カバー部３８Ｂが、平面視にて追い炊き用アダプタ１８の一部又は全体、及び配管２０、２２の追い炊き用アダプタ１８側の一部と重合するように、位置決め用突部３８Ｆの突出量や、上側壁部３８Ｄ及び下側壁部３８Ｅの境界部の形状が決められている。
【００３１】
また、水飛散防止カバー３８は、透明又は半透明の樹脂材料により構成されている。なお、水受飛散防止カバー３８の透明度（光透過度）は、水飛散防止カバーを透して追い炊き用アダプタ１８や配管２０、２２や側壁１６が視認できるレベルであることが望ましい。
【００３２】
また、配管２０、２２には、発泡材や樹脂材により構成されたリング（水止め部材）４８が取付けられている。各リング４８は、平面視にて水受パン３４と重合するように配置されている。なお、本実施形態におけるリング４８のように水止めを目的とした部材を、配管２０、２２に取付けることは必須ではなく、例えば、側壁１６に取付け、部材の一部を配管２０、２２に当接させる等してもよい。
【００３３】
次に、本実施形態における作用について説明する。
図２に示すように、水飛散防止カバー３８は、下カバー部３８Ｃが、直立状態又は側壁１６側へ若干傾斜して起立した状態となり、且つ、上カバー部３８Ｂが、下カバー部３８Ｃ側から先端部側へかけて側壁１６側へ傾斜した状態となるように設置される。この状態で、下側壁部３８Ｅの下端部に設けられたボス４４が、水受パン３４の側壁３４Ｂ、３４Ｅに形成された円孔４６に嵌合することにより、下カバー部３８Ｃの倒れが防止される（図４参照）。
【００３４】
ここで、上カバー部３８Ｂが、平面視にて追い炊き用アダプタ１８の一部又は全体、及び配管２０、２２の追い炊き用アダプタ１８側の一部と重合するように、位置決め用突部３８Ｆや上側壁部３８Ｄ及び下側壁部３８Ｅの境界部により、傾斜角度を決定される。このため、追い炊き用アダプタ１８と側壁１６との接続部や配管結合部１８Ｂ、１８Ｃと配管２０、２２との接続部から水が漏れ出し上方へ向けて噴き出した場合には、噴き出した水が、上カバー部３８Ｂにより受け止められ、上カバー部３８Ｂ及び下カバー部３８Ｃを伝って水受パン３４まで流れ落ちる。そして、水受パン３４まで流れ落ちた水は、排水管３６により排水される。
【００３５】
従って、追い炊き用アダプタ１８と側壁１６との接合部や配管結合部１８Ｂ、１８Ｃと配管２０、２２との接合部から建築躯体１への水の飛散を防止でき、以って、浴槽１２からの漏水により建築躯体１へダメージが加えられることを防止できる。
【００３６】
なお、追い炊き用アダプタ１８と側壁１６との接続部や配管結合部１８Ｂ、１８Ｃと配管２０、２２との接続部から漏れ出して側壁１６を伝って流れ落ちる水は、そのまま水受パン３４により受け止められる。よって、漏水が、側壁１６を伝って建築躯体１へ流れ落ちることを防止できる。
【００３７】
また、追い炊き用アダプタ１８と側壁１６との接続部や配管結合部１８Ｂ、１８Ｃと配管２０、２２との接続部から漏れ出して配管２０、２２を伝って流れる水は、リング４８により止められて、リングから流れ落ちる。ここで、リング４８は、水受パン３４の上方に配置されているため、リング４８から流れ落ちた水は、水受パン３４により受け止められる。よって、漏水が、配管２０、２２を伝って建築躯体１へ流れ落ちることを防止できる。
【００３８】
なお、水飛散防止カバー３８の下カバー部３８Ｃは、その横方向両端下部に設けられたボス４４と、水受パン３４の長手方向両端部に設けられた円孔４６とが嵌合することにより、直立状態若しくは側壁１６側へ若干傾斜した状態に保持され、倒れを防止される。
【００３９】
一方、追い炊き用アダプタ１８のメンテナンス時には、点検口３０（図１参照）から追い炊き用アダプタ１８を目視で確認し、点検口３０から手を挿し込んで、点検、補修等を行う。
【００４０】
その際、透明又は半透明材料で構成された水飛散防止カバー３８を透して追い炊き用アダプタ１８を目視で確認することができ、また、図３に示すように、可倒式とされた水飛散防止カバー３８を、側壁１６の反対側へ倒すことにより、追い炊き用アダプタ１８を直接目視で確認することができる。
【００４１】
水飛散防止カバー３８は、水受パン３４の長手方向両端部において、横方向（配管２０、２２が延出する方向）へ沿って延在する軸回りに回動されることにより、側壁１６の反対側へ倒される。この水飛散防止カバー３８の回動動作時、水飛散防止カバー３８の横方向両端下部に設けられたボス４４と水受パン３４の長手方向両端部に設けられた円孔４６との嵌合は、ボス４４が設けられた可撓性の壁部３８Ａが、側壁３４Ｂ、３４Ｅから離れる側へ撓むことにより解除される。
【００４２】
即ち、水飛散防止カバー３８を回動させて側壁１６から離れる側へ倒すのみで、追い炊き用アダプタ１８を直接目視し、点検・補修等を行うことが可能な状態となるため、追い炊き用アダプタ１８のメンテナンス時に、水飛散防止カバー３８や水受パン３４の取り外しを行う必要がない。
【００４３】
これに対して、追い炊き用アダプタ１８全体を覆う箱型の水受ボックスを側壁１６に装着する場合には、追い炊き用アダプタ１８のメンテナンス時に、該水受ボックスを取り外さなければならず、そのための作業スペースを、側壁１６と建築躯体１（図１参照）との間に確保する必要があり、その分だけ側壁１６と建築躯体１との間のデッドスペースが拡大してしまう。
【００４４】
また、側壁１６と建築躯体１との間の狭いスペースで、ネジの着脱等の作業を行わなければならず、メンテナンス性のみならず、施工性にも問題がある。さらに、メンテナンスのための水受ボックスの取り外し時に、水受ボックスに溜まった水が建築躯体へ流れ落ちてしまう虞もある。
【００４５】
一方、本実施形態では、水飛散防止カバー３８や水受パン３４を取り外し及び装着するための作業スペースが不要となるため、上記デッドスペースを縮小でき、また、側壁１６と建築躯体１との間の限られたスペースにおけるメンテナンス性や施工性を向上させることができる。
【００４６】
また、水受パン３４は、側壁１６に固定されたまま、取り外されることがなく、また、水飛散防止カバー３８により受け止められた水は、水飛散防止カバー３８に溜まることなく、水飛散防止カバー３８を伝って水受パン３４へ流れ落ちるため、メンテナンス時における水受パン３４や水飛散防止カバー３８から建築躯体１への落水を防止できる。
【００４７】
また、本実施形態では、水飛散防止カバー３８を上下２分割の折り畳み式に構成することにより、メンテナンス時の水飛散防止カバー３８をコンパクト化している。よって、側壁１６と建築躯体１との間における追い炊き用アダプタ１８のメンテナンス、施工のためのスペースをより一層縮小でき、上記デッドスペースをより一層縮小できる。
【００４８】
次に、水飛散防止カバー３８と水受パン３４との連結構造の変形例について説明する。
図５に示すように、水飛散防止カバー３８の壁部３８Ａの下部には、円筒状のボス５０が水飛散防止カバー３８の横方向中央側へ向けて突設されている。このボス５０の先端側には、複数の断面Ｖ字状のリブ５０Ａが、周方向へ所定ピッチで形成されている。各リブ５０Ａは、ボス５０の先端部から基端側へかけて軸方向に沿って延在している。
【００４９】
また、ボス５０の先端側には、所定ピッチ（例えば、９０度間隔）で複数の線状の切欠き５０Ｂが形成されている。各切欠き５０Ｂは、ボス５０の先端部から基端側へかけて軸方向に沿って延在しており、これにより、ボス５０の先端側は、周方向に非連続とされ、径方向へ弾性変形可能とされている。
【００５０】
一方、水受パン３４の側壁３４Ｂ、３４Ｅ（３４Ｂのみ図示）には、ボス５０が挿通される多角形の貫通孔５２が形成されている。この貫通孔５２の角数、角部のピッチ数は、リブ５０Ａの設置数、ピッチと同数、同ピッチとされており、ボス５０を貫通孔５２内で回転させた場合に、その回転中、貫通孔５２の角部及びリブ５０Ａのピッチ毎に、貫通孔５２の全角部と全てのリブ５０Ａとの角度位置が一致し、この状態で、ボス５０と貫通孔５２とが嵌合（係合）状態となる。
【００５１】
なお、水飛散防止カバー３８の下カバー部３８Ｃが直立状態若しくは側壁１６側へ若干傾斜した状態において、貫通孔５２の全角部と全てのリブ５０Ａとの角度位置が一致し、ボス５０と貫通孔５２とが嵌合（係合）状態となる。
【００５２】
次に、本実施例における作用について説明する。
水飛散防止カバー３８に対してボス５０回りへの回動力が付与された場合には、ボス５０の先端側が内径側へ弾性変形することにより、リブ５０Ａと貫通孔５２との角部の係合が解除され、ボス５０が貫通孔５２内で回動可能となる。
【００５３】
そして、水飛散防止カバー３８がボス５０回りに、下カバー部３８Ｃが直立状態若しくは側壁１６側へ若干傾斜した状態になる位置まで回動された時点で、貫通孔５２の全角部と全てのリブ５０Ａとの角度位置が一致し、ボス５０と貫通孔５２とが嵌合（係合）状態となる。これにより、水飛散防止カバー３８の倒れが防止される。
【００５４】
一方、追い炊き用アダプタ１８のメンテナンス時には、水飛散防止カバー３８をボス５０回りに回動させることにより、側壁１６の反対側へ倒すことができ、追い炊き用アダプタ１８を開放することができる。
【００５５】
次に、本発明の第２実施形態について説明する。なお、第１実施形態と同様の構成には同一の符号を付し、説明は省略する。
図６〜図８に示すように、水受パン３４の側壁３４Ｄ上には、水飛散防止カバー（水受カバー）６０が立設されている。水飛散防止カバー６０の上下方向中間部には、複数（本実施形態では図示するように２本）の可撓性のヒンジ部６２が、略水平方向に沿って上下に並べて延設されており、これにより、水飛散防止カバー６０が、上カバー部６０Ｂ、中カバー部６０Ｃ、及び下カバー部６０Ｔに３分割され、上下方向中間部を境に折り畳み（本実施形態では３つ折）可能とされている。
【００５６】
ここで、水飛散防止カバー６０の横方向両端部に側壁１６側へ立設された一対の壁部６０Ａは、ヒンジ部６２の位置に形成されたＶ字状の切欠きにより上側壁部６０Ｄと中側壁部６０Ｅと下側壁部６０Ｓに上下３分割されており、これにより、上カバー部６０Ｂが、中カバー部６０Ｃに対して相対的に側壁１６側へ傾倒可能とされ、中カバー部６０Ｃが下カバー部６０Ｔに対して相対的に側壁１６側へ傾倒可能とされている。
【００５７】
また、上側壁部６０Ｄの中側壁部６０Ｅ側の端部には、位置決め用突部６０Ｆが、中側壁部６０Ｅ側へ突設されており、この位置決め用突部６０Ｆが中側壁部６０Ｅの上側壁部６０Ｄ側の端部に当接することにより、上カバー部６０Ｂの中カバー部６０Ｃに対する相対角度が決定される。
【００５８】
また、中側壁部６０Ｅの下側壁部６０Ｓ側の端部には、位置決め用突部６０Ｕが、下側壁部６０Ｓ側へ突設されており、この位置決め用突部６０Ｕが下側壁部６０Ｓの中側壁部６０Ｅ側の端部に当接することにより、中カバー部６０Ｃの下カバー部６０Ｔに対する相対角度が決定される。
【００５９】
なお、中カバー部６０Ｃが、下カバー部６０Ｔに対して略平坦となるように、位置決め用突部６０Ｕの突出量や、中側壁部６０Ｅ及び下側壁部６０Ｓの境界部の形状が決められている。
【００６０】
また、上カバー部６０Ｂが、平面視にて追い炊き用アダプタ１８の一部又は全体、及び配管２０、２２の追い炊き用アダプタ１８側の一部と重合するように、位置決め用突部６０Ｆの突出量や、上側壁部６０Ｄ及び中側壁部６０Ｅの境界部の形状が決められている。
【００６１】
また、水飛散防止カバー６０の下部には、複数（例えば、図示するように２個）の係合片６４が下方へ突設され、水受パン３４の側壁３４Ｄの上部には、係合片６４に対応して複数の係合片６６が側壁１６側へ突設されている。
【００６２】
図８に示すように、係合片６４は、矩形板状に構成されており、横方向端部から略水平方向へ直線状に係合用の切欠き部６４Ａが形成されている。一方、係合片６６は、矩形板状に構成されており、切欠き部６４Ａと係合可能とされており、即ち、複数の係合片６４と複数の係合片６６とが係合することにより、水飛散防止カバー６０の倒れが防止される。
【００６３】
次に、本実施形態における作用について説明する。
図２に示すように、複数の係合片６４と複数の係合片６６とが係合することにより、水飛散防止カバー６０が、水受パン３４の側壁３４Ｄ上に、直立状態且つ倒れを防止された状態に保持される。また、位置決め用突部６０Ｕが下側壁部６０Ｓに当接することにより、中カバー部６０Ｃが、下カバー部６０Ｔ上で直立状態に保持され、位置決め用突部６０Ｆが中側壁部６０Ｅに当接することにより、上カバー部６０Ｂが、平面視にて追い炊き用アダプタ１８の一部又は全体、及び配管２０、２２の追い炊き用アダプタ１８側の一部と重合する位置に保持される。
【００６４】
よって、第１実施形態と同様、水飛散防止カバー６０により、追い炊き用アダプタ１８と側壁１６との接続部や追い炊き用アダプタ１８と配管２０、２２との接続部から漏れ出し飛散した水を受け止め、水受パン３４へ流下させることが可能である。
【００６５】
また、追い炊き用アダプタ１８のメンテナンス時には、水飛散防止カバー６０を三つ折り状態で側壁１６の反対側へ倒し、追い炊き用アダプタ１８を開放させることができる。この際、水飛散防止カバー６０を三つ折り状態のコンパクトな状態にして側壁１６の反対側へ倒すことができるため、側壁１６と建築躯体１との間における追い炊き用アダプタ１８のメンテナンス、施工のためのスペースをより一層縮小でき、側壁１６と建築躯体１との間にできるデッドスペースをより一層縮小できる。
また、水飛散防止カバー６０は、水受パン３４の長手方向へスライドさせ、係合片６４と係合片６６との係合を解除させることにより、水受パン３４から取り外し可能となる。
【００６６】
以上、本発明を特定の実施形態について詳細に説明したが、本発明はかかる実施形態に限定されるものではなく、本発明の範囲内にて他の種々の実施形態が可能であることは当業者にとって明らかである。例えば、本実施形態では、配管接続部として追い炊き用アダプタ１８を用いた例を採って本発明を説明したが、ジェットバス用の配管接続部等の漏水対策にも本発明を適用することで同様の効果を得ることができる。
【図面の簡単な説明】
【００６７】
【図１】本発明の第１実施形態に係る浴槽側壁用の水受構造を備えるユニットバスを示す側断面図である。
【図２】本発明の第１実施形態に係る浴槽側壁用の水受構造を示す斜視図である。
【図３】本発明の第１実施形態に係る浴槽側壁用の水受構造を示す斜視図である。
【図４】本発明の第１実施形態に係る浴槽側壁用の水受構造における水飛散防止カバーの支持部を拡大して示す斜視図である。
【図５】図４に示す水飛散防止カバーの支持部の変形例を拡大して示す斜視図である。
【図６】本発明の第２実施形態に係る浴槽側壁用の水受構造を示す斜視図である。
【図７】本発明の第２実施形態に係る浴槽側壁用の水受構造を示す斜視図である。
【図８】本発明の第２実施形態に係る浴槽側壁用の水受構造を示す斜視図である。
【符号の説明】
【００６８】
１２    浴槽
１６    側壁
１８    追い炊き用アダプタ
２０    配管
２２    配管
３４    水受パン
３８    水飛散防止カバー（水受カバー）
４８    リング（水止め部材）
６０    水飛散防止カバー（水受カバー）
【図１】
2009028078.tif 000003
【図２】
2009028078.tif 000004
【図３】
2009028078.tif 000005
【図４】
2009028078.tif 000006
【図５】
2009028078.tif 000007
【図６】
2009028078.tif 000008
【図７】
2009028078.tif 000009
【図８】
2009028078.tif 000010